(57)【要約】【課題】拡布とピンニングを確実に行うことができるピンテンター装置を提供する。【解決手段】ピン２６をウエブＷの両耳部の上方から押圧してピンニングを行う左右一対のピンニング装置３０のブラシロール３６と、ブラシロール３６の手前に設けられ、ウエブＷの上方に配された第１拡布ロール３２とを有する。【選択図】      図３
2015155580.tif 000002
【特許請求の範囲】
【請求項１】
ウエブを前後方向に走行させるために、前記ウエブの搬送路の左右両側にそれぞれ配された左右一対の無端状のテンターチェーンと、
前記テンターチェーンに所定間隔毎に取り付けられたピン支持板と、
前記ピン支持板が立設された複数のピンと、
前記ピンを前記ウエブの両耳部の上方から押圧してピンニングを行う左右一対のピンニング装置と、
左右一対の前記ピンニング装置より搬入口側に設けられ、前記ウエブの拡布を行う左右一対の第１拡布ロールと、
を有するピンテンター装置。
【請求項２】
前記第１拡布ロールは、前記ウエブの上方に配されている、
請求項１に記載のピンテンター装置。
【請求項３】
前記第１拡布ロールより搬入口側に配され、前記ウエブの下方に配された第２拡布ロールを有する、
請求項２に記載のピンテンター装置。
【請求項４】
前記ピンニング装置は、外周にブラシ毛が植毛されたブラシロールを有する、
請求項１乃至３のいづれか一項に記載された記載のピンテンター装置。
【請求項５】
前記ピンニング装置は、下面にブラシ毛が植毛されたブラシベルトを有する、
請求項１乃至３のいづれか一項に記載のピンテンター装置。
【発明の詳細な説明】
【技術分野】
【０００１】
本発明は、ピンテンター装置に関するものである。
【背景技術】
【０００２】
従来より、長尺状のウエブを拡布状態で搬送するピンテンター装置においては、テンター装置の搬入口側にピンニング装置が設けられている。このピンニング装置は、例えばブラシロールやブラシベルトで、ウエブの両耳部を上から押圧し、ウエブにピンを刺して固定するものである（例えば、特許文献１、特許文献２参照）。
【先行技術文献】
【特許文献】
【０００３】
【特許文献１】特開平３−２９４５６７号公報
【特許文献２】特開平３−２９４５６８号公報
【発明の概要】
【発明が解決しようとする課題】
【０００４】
最近、上記のようなピンテンター装置は、光学フィルムなどの薄いウエブを搬送するのに用いられている。
【０００５】
しかし、このような薄いウエブの両耳部は内側にまるくなる状態になりやすいため、ウエブの両耳部をピンで固定する前に拡布しておく必要がある。
【０００６】
そこで本発明は、拡布とピンニングを確実に行うことができるピンテンター装置を提供することを目的とする。
【課題を解決するための手段】
【０００７】
本発明は、ウエブを前後方向に走行させるために、前記ウエブの搬送路の左右両側にそれぞれ配された左右一対の無端状のテンターチェーンと、前記テンターチェーンに所定間隔毎に取り付けられたピン支持板と、前記ピン支持板が立設された複数のピンと、前記ピンを前記ウエブの両耳部の上方から押圧してピンニングを行う左右一対のピンニング装置と、左右一対の前記ピンニング装置より搬入口側に設けられ、前記ウエブの拡布を行う左右一対の第１拡布ロールと、を有するピンテンター装置である。
【発明の効果】
【０００８】
本発明によれば、拡布とピンニングをウエブに対し確実に行うことができる。
【図面の簡単な説明】
【０００９】
【図１】本実施形態のピンテンター装置の平面図である。
【図２】搬入口部分におけるピンテンター装置の拡大平面図である。
【図３】搬入口部分の拡布ロールとピンニング装置の側面図である。
【図４】変更例の拡布ロールとピンニング装置の側面図である。
【発明を実施するための形態】
【００１０】
以下、本発明の一実施形態を示すピンテンター装置１０について図１〜図３に基づいて説明する。
【００１１】
（１）ピンテンター装置１０の構成
まず、ウエブＷ（例えば、フィルム、布帛、紙などである）を搬送するピンテンター装置１０の構成について図１に基づいて説明する。
【００１２】
ピンテンター装置１０は、左右一対の無端状のテンターチェーン１６が、それぞれ搬入口側の他動ホイール１２、搬出口側の駆動ホイール１４に掛け渡されている。各テンターチェーン１６には、複数のピン２６が植設されたピン支持板２８が所定間隔毎に取り付けられている。ピン支持板部２８が取り付けられた左右一対のテンターチェーン１６は、左右一対のテンターレール１８の上を走行し、左右一対の他動ホイール１２，１２は搬入口側にあるテンター台２２に設けられ、左右一対の駆動ホイール１４，１４は搬出口側にあるテンター台２４に設けられている。なお、テンターレール１８は、ウエブＷを熱処理するための熱処理室２０内部を通過する。
【００１３】
ピンテンター装置１０は、左右一対のテンターチェーン１６に取り付けられた複数のピン２６によってウエブＷを幅方向に対し一定の張力で把持し、熱処理室２０内部を一定の搬送速度で通過させて、ウエブＷを熱処理する。
【００１４】
ピンテンター装置１０の搬入口側には、左右一対のピンニング装置３０，３０が設けられ、ウエブＷの両耳部にピン２６を刺して固定する。このピンニング装置３０の手前には、左右一対の第１拡布ロール３２，３２が設けられ、この第１拡布ロール３２の手前に左右一対の第２拡布ロール３４，３４が設けられている。
【００１５】
（２）ピンニング装置３０
次に、ピンニング装置３０について図２と図３に基づいて説明する。
【００１６】
ピンニング装置３０は、ブラシロール３６を有し、このブラシロール３６は、ウエブＷの両耳部の上方に配置され、ブラシ毛３８が植毛されている。また、ブラシロール３６は、ウエブＷの走行速度に合わせて、かつ、走行方向に沿って回転する。
【００１７】
ピンニング装置３０でピンニングする場合には、ピン支持板２８の上方に配されたウエブＷの両耳部がこのブラシロール３６のブラシ毛３８によって下方に押圧されピン２６がウエブＷに突き刺さり、ピン支持板２８に固定される。
【００１８】
（３）第１拡布ロール３２と第２拡布ロール３４
次に、第１拡布ロール３２と第２拡布ロール３４について説明する。
【００１９】
第１拡布ロール３２は、シリコンゴムより形成され、ピンニング装置３０のブラシロール３６の手前に回動自在に配されている。この第１拡布ロール３２は他動であって、図２に示すように、ウエブＷの走行方向に対しθ°傾いて配され、右側の第１拡布ロール３２はウエブＷを右側に、左側の第１拡布ロール３２はウエブＷを左側に拡布するように回転する。また、第１拡布ロール３２は、ウエブＷの上方に配されている。但し、θ°は、０°＜θ°＜９０°である。
【００２０】
第２拡布ロール３４は、第１拡布ロール３２の手前に配され、シリコンゴムより形成されている。第２拡布ロール３４も他動であって、ウエブＷの走行方向に対しθ°傾斜して配されている。これにより、左右一対の第２拡布ロール３４，３４はウエブＷを拡布状態にする。第２拡布ロール３４は、ウエブＷの下方に配されている。
【００２１】
（４）ピンテンター装置１０の動作状態
ピンテンター装置１０の搬入口側における動作状態について図１〜図３に基づいて説明する。
【００２２】
ウエブＷは、搬入口側において左右一対の第２拡布ロール３４，３４の上方を走行し、次に左右一対の第１拡布ロール３２，３２の下方を走行し、ピンニング装置３０のブラシロール３６の下方を走行する。このとき第１拡布ロール３２と第２拡布ロール３４によってウエブＷが拡布状態となり、拡布状態のままブラシロール３６の下方を通過して、ブラシ毛３８によってピン２６がウエブＷの両耳部に固定される。その後に、拡布状態のままウエブＷが熱処理装置２０に搬入される。
【００２３】
このとき図３に示すように、ウエブＷは第２拡布ロール３４の上方、第１拡布ロール３２の下方、ブラシロール３６の下方を順番に通過するため、ウエブＷは搬送方向にも引っ張られた状態でブラシロール３６に至るため、ウエブＷにピン２６を確実にピンニングできる。特に、第２拡布ロール３４の上方から第１拡布ロール３２の下方にウエブＷが至るときに、第１拡布ロール３２によってウエブＷが走行方向に引っ張られて拡布されやすくなり、次に、第１拡布ロール３２の下方からブラシロール３６の下方に至るときに、第１拡布ロール３２でウエブＷがほぼ水平になってブラシロール３６の下方に進入するために、ウエブＷが拡布状態を維持しつつブラシロール３６で確実にピンニングできる。
【００２４】
（５）効果
本実施形態のピンテンター装置１０によれば、ピンニング装置３０によってウエブＷにピンニングを行う前に、第１拡布ロール３２と第２拡布ロール３４によって拡布を行うことができ、拡布状態でウエブＷにピンニングを行うことができる。
【００２５】
また、第２拡布ロール３４の上方から第１拡布ロール３２の下方にウエブＷが至るときに、第１拡布ロール３２によってウエブＷが走行方向に引っ張られて拡布されやすくなり、次に、第１拡布ロール３２の下方からブラシロール３６の下方に至るときに、第１拡布ロール３２でウエブＷがほぼ水平になってブラシロール３６の下方に進入するために、ウエブＷが拡布状態を維持しつつブラシロール３６で確実にピンニングできる。
【００２６】
（６）変更例
上記実施形態では、拡布ロールは２本であったが、これに代えて３本以上の拡布ロールを設けてもよい。但し、この場合であってもブラシロール３６に最も近い拡布ロールは、その拡布ロールの上にウエブＷが走行するようにする必要がある。
【００２７】
また、上記実施形態ではピンニング装置３０として、ブラシロール３６から構成されていたが、これに代えて、図４に示すように、前後一対の駆動ロール４０と他動ロール４２との間でベルト４４を掛け渡し、このベルト４４の下面にブラシ毛３８を植毛したピンニング装置３０を用いてもよい。このピンニング装置３０であっても、ピンニング装置３０の駆動ロール４０の手前に第１拡布ロール３２を設けることにより、拡布とピンニングを確実に行うことができる。
【００２８】
上記実施形態では、第１拡布ロール３２と第２拡布ロール３４の材質は、シリコンゴムであったが、これ以外の弾力性のある材料で形成してもよい。
【００２９】
上記実施形態では、第１拡布ロール３２と第２拡布ロール３４の傾斜角は、同じθ°であったが、第１拡布ロール３２の傾斜角をθ°、第２拡布ロール３４の傾斜角をθ°より小さく、又は、大きくしてもよい。
【００３０】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３１】
１０・・・ピンテンター装置、２６・・・ピン、２８・・・ピン支持板、３０・・・ピンニング装置、３２・・・第１拡布ロール、３４・・・第２拡布ロール、３６・・・ブラシロール、３８・・・ブラシ毛、
【図１】
2015155580.tif 000003
【図２】
2015155580.tif 000004
【図３】
2015155580.tif 000005
【図４】
2015155580.tif 000006